(57)【特許請求の範囲】
【請求項１】
釣り用リールを釣り竿に取り付けるために釣り竿に装着されるリールシートであって、
大径部と前記大径部より小径の小径部とを有し前記釣り竿に装着される竿装着部と、前記大径部において前記竿装着部の一端に形成され前記釣り用リールの取付足の一側を係止するための第１係止部と、前記小径部において前記竿装着部の他端外周部に形成された雄ネジ部とを有するシート本体と、
前記第１係止部に対向して配置され前記取付足の他側を係止するための第２係止部と、前記第２係止部の少なくとも両側方で前記シート本体側に延びる１対のカバー部とを有し、前記雄ネジ部の外周に軸方向移動自在かつ回転不能に装着される移動シート部と、
前記雄ネジ部に螺合して前記移動シート部を移動させる雌ネジ部を有し、前記移動シート部に連結されて前記移動シート部とともに前記軸方向に移動可能でありかつ前記移動シート部に対して相対回転可能なナット部と、
を備え、
前記大径部の両側部には、一対の前記カバー部と係合する一対の凹部が形成されている、
リールシート。
【請求項２】
前記凹部は、前記カバー部と段差なく係合するように前記大径部の外周面から所定深さに形成されている、
請求項１に記載のリールシート。
【請求項３】
前記第２係止部は対向して周方向に２か所設けられている、請求項１または２に記載のリールシート。
【請求項４】
竿本体と、
前記竿本体に装着された請求項１から３のいずれかに記載のリールシートと、
を備えた釣り竿。
【発明の詳細な説明】
【０００１】
【発明の属する技術分野】
本発明は、釣り用リールを釣り竿に取り付けるために釣り竿に装着されるナット式のリールシート及びそれを装着した釣り竿に関する。
【０００２】
【従来の技術】
釣り竿には、スピニングリール、両軸受リール、片軸受リール等の釣り用リールを取り付けるためのナット式のリールシートが設けられている。リールシートは、一般に、釣り用リールのリール取付足の一側を係止する係止部と雄ネジ部とを有するシート本体と、移動シート部と、ナット部とを備えている。シート本体の雄ネジ部は他の部分より小径なものや同一径のものがあり、雄ネジ部が小径な場合、シート本体には雄ネジ部と他の部分との間に段差部が形成され、同一径の場合、ネジ部分が表面に露出する。移動シート部は、リール取付足の他側を係止する係止部を有し、シート本体に対して相対移動可能である。移動シート部は、取付足を係止しない状態では、雄ネジ部が小径の場合、シート本体の段差部に当接可能である。ナット部は、移動シート部と連結されており、雄ネジ部に螺合して移動シート部を前後に移動させる。
【０００３】
このようなリールシートでは、釣り用リールの取付足の一側をシート本体の係止部に係止した状態でナット部を回転させ移動シート部の係止部をシート本体の係止部に接近させる。そして、移動シート部の係止部で取付足の他側を係止しかつ両係止部で取付足を挟持することで釣り用リールを釣り竿に固定している。
【０００４】
【発明が解決しようとする課題】
前記従来の構成では、ナット部を回転させて釣り用リールの取付足を固定しているため、取付足のサイズによってナット部の軸方向の位置が変化する。このため、相当数のリールを取付可能にするためには、長さの短い取付足に合わせて段差が生じないようにナット部を配置しなければならない。このようにナット部を配置すると、雄ネジ部が小径の場合周方向の溝が生じ、雄ネジ部が同径の場合雄ネジ部が表面に露出する。溝が生じたり雄ネジ部が露出すると、リールの取付足を釣り竿のリールシートとともに握って使用するスピニングリールの場合、釣り竿を握ったときに指や掌に溝や雄ネジ部が接触する。このため、たとえば仕掛けに魚が掛かったときに力を入れてリール取付部分で釣り竿を握ると、溝や雄ネジ部に指や掌が食い込んで痛くなり、釣り竿を握りにくくなる。
【０００５】
本発明の課題は、リールをリールシートに取り付けた状態でリール取付部分で釣り竿を力を入れて握っても握りやすいリールシート及びこのリールシートを取り付けた釣り竿を提供することにある。
【０００６】
【課題を解決するための手段】
発明１に係るリールシートは、釣り用リールを釣り竿に取り付けるために釣り竿に装着されるものであって、シート本体と、移動シート部と、ナット部とを備えている。シート本体は、大径部と大径部より小径の小径部とを有し釣り竿に装着される竿装着部と、大径部において竿装着部の一端に形成され釣り用リールの取付足の一側を係止するための第１係止部と、小径部において竿装着部の他端外周部に形成された雄ネジ部とを有している。移動シート部は、第１係止部に対向して配置され取付足の他側を係止するための第２係止部と、第２係止部の少なくとも両側方でシート本体側に延びる１対のカバー部とを有し、雄ネジ部の外周に軸方向移動自在かつ回転不能に装着されている。ナット部は、雄ネジ部に螺合して移動シート部を移動させる雌ネジ部を有し、移動シート部に連結されて移動シート部とともに軸方向を移動可能でありかつ移動シート部に対して相対回転可能である。そして、大径部の両側部には、一対のカバー部と係合する一対の凹部が形成されている。
【０００７】
このリールシートでは、釣り用リールを装着する際には、取付足の一側を第１係止部に係止した状態で、ナット部を回転させてナット部を雄ネジ部に螺合させる。さらにナット部を回転させて移動シート部の第２係止部を第１係止部に接近させると第１係止部と第２係止部とで取付足の両側が挟持される。この結果、釣り用リールが釣り竿に固定される。このとき、１対のカバー部が第２係止部の少なくとも両側方でシート本体側に延びているので、シート本体の雄ネジ部形成部分の段差部と移動シート部との間に形成される周方向の溝が第２係止部の両側方でカバーされ、少なくとも周方向にわたって連続した溝が生じなくなる。また、第２係止部付近には取付足があるので溝はカバーされる。このため、釣り竿をリール取付部分で力を入れて握っても溝が指や掌に接触しにくくなるので、指や掌が痛くなりにくくなり釣り竿を握りやすくなる。
【０００８】
発明２に係るリールシートは、発明１に記載のシートにおいて、凹部は、カバー部と段差なく係合するように大径部の外周面から所定深さに形成されている。
【０００９】
発明３に係るリールシートは、発明１または２のシートにおいて、第２係止部は対向して周方向に２か所設けられている。この場合には、取付足のサイズに応じて２つの第２係止部を用意できるので、サイズが大きく異なる釣り用リールも１つのリールシートで釣り竿に確実に装着できる。
【００１０】
発明４に係る釣り竿は、竿本体と、竿本体に装着された発明１から３のいずれかに記載のリールシートとを備えている。ここでは発明１から３と同様に、リール取付部分で釣り竿を力を入れて握っても指が痛くなりにくい。
【００１１】
【発明の実施の形態】
図１において、本発明の一実施形態によるリールシート１は、スピニングリールの略Ｔ字形状の取付足３の両側を係止してスピニングリールを釣り竿４に装着するものである。リールシート１は、釣り竿４の外周に装着されたシート本体１０と、移動シート部１１と、ナット部１２とを有している。
【００１２】
シート本体１０は、図２及び図３に示すように、内部に釣り竿４が貫通する貫通孔１３が形成された合成樹脂を成形して得られた略筒状の竿装着部１４と、竿装着部１４の一端に形成された第１係止部２０と、竿装着部１４の他端外周部に形成された雄ネジ部３１とを有している。竿装着部１４は、図２に示すように、変形筒状の大径部１５と、大径部１５の先端から突出する筒状の小径部１６とを有している。この大径部１５と小径部１６との間に段差部２４が形成されている。
【００１３】
第１係止部２０は、取付足３の一側（後側）を係止するためのものであり大径部１５の後部に形成されている。大径部１５には、取付足３を載置するための平坦な載置面２１も形成されている。大径部１５の後方には、コルク製の竿尻グリップ１７が釣り竿４の外周に嵌め込まれている。第１係止部２０は、大径部１５の後側外周部において、載置面２１の後部から上方の一部を覆うように載置面２１と一体で形成されている。大径部１５の先端には、取付足３を載置するための平坦な載置面２５が形成されており、載置面２５の両側には取付足３の幅方向の移動を規制するための左右１対の突起部２６が載置面２５と一体で形成されている。また、両突起部２６に隣接して大径部１５の両側部には、所定深さの凹部２３が形成されている。凹部２３は、後述するカバー部３７を段差なく係合するために設けられている。
【００１４】
雄ネジ部３１は、小径部１６の先端に形成されている。小径部１６には、外周面の一部に載置面２５に連なるように全長にわたり切り欠かれた平坦な載置面３０が形成されている。また、小径部１６の全長にわたり外周部の対向する２か所には、移動シート部１１をシート本体１０に回転不能に係止するための係止溝３２が形成されている。
【００１５】
移動シート部１１は、内径が小径部１６の外径より僅かに大きい寸法のほぼ円柱状の部材であり、小径部１６の外側を移動可能である。移動シート部１１は、第１係止部２０に対向して配置され取付足３の前側を係止するための第２係止部３５を有している。第２係止部３５は、移動シート部１１がシート本体１０に装着されたとき、載置面３０のほぼ全域を覆いかつその間に取付足３の前側が挿入される空間が形成され得るように形成されている。この第２係止部３５は、移動シート部１１の端面に２か所設けられている。これらの２つの第２係止部３５は、端面からの軸方向長さが異なり、かつ中心対称に周方向に間隔を隔てて設けられている。
【００１６】
移動シート部１１の外周面には、上下の２つの第２係止部３５を挟んで両側方に、第１係止部２１側に延びる１対のカバー部３７が形成されている。このカバー部３７の外周面は後部側が細いテーパ面となっており、第２係止部３５から後方に山型に形成されている。このカバー部３７は、前述した凹部２３に係合可能であり、シート本体１０の大径部１５と小径部１６との間の段差部２４と移動シート部１１の後端面との間の周方向の溝２７をカバーするために設けられている。このように溝２７をカバーすれば、少なくとも周方向にわたって連続した溝２７が生じないので、リール取付部分で釣り人が釣り竿を力を入れて握ったときに指や掌が溝２７に食い込まなくなり、釣り竿４を握りやすくなる。
【００１７】
また、移動シート部１１の前部には、他の部分より小径な連結部３８が形成されている。連結部３８は、ナット部１２を回転可能かつ移動不能に連結するために形成されている。連結部３８の先端には、連結部３８より僅かに大径な係止用の環状突起３９が形成されている。さらに、移動シート部１１の内周面には、小径部１６の外周面に形成された係止溝３２に係合する１対の回り止め突起３６が形成されている。この回り止め突起３６が係止溝３２に係合することで、移動シート部１１がシート本体１０に対して回転不能に移動する。
【００１８】
ナット部１２は、段階的に縮径する概ね筒状のナット部本体４０と、ナット部本体４０の外周側に回転不能に固定される竿先グリップ４６とを有している。
【００１９】
ナット部本体４０は、移動シート部１１の連結部３８に回転可能にかつ軸方向にほぼ移動不能に連結される大径の連結筒部４１と、連結筒部４１の先端にそれより小径に形成されたネジ筒部４２と、ネジ筒部４２の先端にそれより小径に形成されたキャップ支持部４３とを有している。連結筒部４１の内周面には、環状突起４０に係合する環状凹部４５が形成されている。この連結筒部４１に連結部３８が圧入されることで、ナット部１２は移動シート部１１に対して相対回転自在に連結され、かつ移動シート部１１を一体で軸方向に移動させる。また、連結筒部４１の外周面には竿先グリップ４６の後端部分の肉厚分の段差が形成され、そこに竿先グリップ４６が固定される。また連結筒部４１の外周面には、竿先グリップを回転不能に係止するための係止溝４１ａが周方向に間隔を隔てて４か所形成されている。ネジ筒部４２の内周面には雌ネジ部４８が形成されている。
【００２０】
竿先グリップ４６は、先細り湾曲筒状のグリップ本体４６ａと、グリップ本体４６ａの先端に嵌め込まれるキャップ４６ｂとを有している。グリップ本体４６ａの後端内周面には、係止溝４１ａに係止される係止突起４９が形成されている。キャップ４６ｂは、ナット本体４０のキャップ支持部４３に嵌め込まれ接着固定される。
【００２１】
次にリールの装着方法について説明する。
【００２２】
まず、ナット部１２を緩めてシート本体１０との螺合を解除し、ナット部１２をシート本体１０の穂先側に配置する。そしてリールの取付足３の後側を載置面２１に、前側を載置面２５，３０にそれぞれ載置し、後側をシート本体１０の第１係止部２０に挿入する。続いて、リールのサイズに応じた第２係止部３５をリール２側に配置した後、ナット部１２を右回りに回して雌ネジ部４８を雄ネジ部３１に螺合させる。これにより移動シート部１１がシート本体１０の小径部１６の外側を竿尻側に移動する。このとき移動シート部１１は、係止溝３２と回り止め突起３６とにより回転不能なため、回転せずに軸方向にのみ移動する。そして、取付足３を２つの係止部２０，３５で固く挟持するとナット部１２の回転を止める。このとき、移動シート部１１に形成された２つのカバー部３７が凹部２３に係合し、取付足３の大きさに応じてシート本体１０の段差部２４と移動シート部１１との間に形成された溝２７がカバーされる。このため、リール取付部分で釣り竿を力を入れて握っても、握った手の指や掌が溝に食い込みにくくなくなり、握った手指が痛くなることが少ない。
〔他の実施形態〕
（ａ）本発明に使用されるリールはスピニングリールに限定されるものではなく、両軸受リールや片軸受リール等の取付足を有する釣り用リールであればどのようなリールでもよい。
【００２３】
（ｂ）移動シート部に形成されたカバー部の形状は本実施形態に限定されるものではなく、シート本体と移動シート部との間の隙間をカバーできるような形状であればどのような形状でもよい。
〔参考例〕
図４に示すように、シート本体を設けずに第１係止部２０を雄ネジ部３１を釣り竿４の竿本体５に直接形成したリールシートにも本発明を適用できる。
【００２４】
釣り竿４の竿本体５は、先細り筒状であり、その外周面に第１係止部２０を雄ネジ部３１とが軸方向に間隔を隔てて形成されている。また、竿先グリップ４６はナット部１２と別に設けられ、ナット部１２の内周部に雌ネジ部４８が形成されている。また、ナット部１２の基端には、連結部３８に係止される環状凹部４５が形成されている。
【００２５】
このような参考例では、雄ネジ部３１が移動シート部１１の竿尻側の第２係止部の両側方で少なくとも周方向において連続して露出しないので、前記同様にリール取付部分で釣り竿を握っても握りやすくなる。
【００２６】
【発明の効果】
以上に説明したように本発明に係るリールシートでは、カバー部により第１係止部と移動シート部との間の溝や露出する雄ネジ部がカバーされるので、力を入れてリール取付部分で釣り竿を握っても握った指や掌が溝や雄ネジ部に接触しにくくなり、釣り竿を握りやすくなる。
【図面の簡単な説明】
【図１】  本発明の一実施形態によるリールシートの斜視図。
【図２】  その縦断面図。
【図３】  その分解斜視図。
【図４】  参考例の図２に相当する図。
【符号の説明】
１  リールシート
３  取付足
４  釣り竿
１０  シート本体
１１  移動シート部
１２  ナット部
２０  第１係止部
２７  溝
３１  雄ネジ部
３５  第２係止部
３７  カバー部
４８  雌ネジ部
【図１】
0004022284.tif 000002
【図２】
0004022284.tif 000003
【図３】
0004022284.tif 000004
【図４】
0004022284.tif 000005